(57)【要約】【課題】設置の際に川の一部を堰き止める必要がなく、工期の大幅な短縮と、工費の大幅な削減を達成することができる予め型組みされた木工沈床の提供。【解決手段】互いに平行に配置される２本のＬ型アングル鋼材と、これらアングル鋼材に設けられその両端部からそれぞれ脚部を上方に向けて立ち上げられる長脚ボルトと、アングル鋼材間に架け渡され長脚ボルトの脚部が挿通される２本の棒状の１段目外枠木と、互いに平行に配置された１段目外枠木の間に架け渡され長脚ボルトの脚部が挿通される２本の棒状の２段目外枠木と、・・・、互いに平行に配置された（ｎ−１）段目外枠木の間に架け渡され長脚ボルトの脚部が挿通される２本の棒状のｎ段目外枠木と、ｎ段目外枠木の内部に位置する長脚ボルトの先端部に螺着され外枠木同士を井桁状に固定するナットと、ナットの上方において長脚ボルトの脚部に着脱可能に螺着される吊金具とからなる。【選択図】　図１
2004060185.tif 000002
【特許請求の範囲】
【請求項１】
互いに平行に配置され一辺を下方に向けて配置される２本のＬ型アングル鋼材と、これらアングル鋼材の他辺に設けられ該アングル鋼材の両端部からそれぞれ脚部を上方に向けて立ち上げられる長脚ボルトと、これらアングル鋼材の相対向する端部の間にそれぞれ架け渡され該アングル鋼材の前記他辺上において前記長脚ボルトの脚部が挿通される少なくとも２本の棒状の１段目外枠木と、これら１段目外枠木の間において前記アングル鋼材の間に架け渡される複数本の棒状の敷成木と、これら敷成木を横断するように該敷成木の上に固定される複数本の押さえ木と、互いに平行に配置された前記１段目外枠木の間に架け渡され該外枠木から突き出した前記長脚ボルトの脚部が挿通される少なくとも２本の棒状の２段目外枠木と、・・・、互いに平行に配置された（ｎ−１）段目外枠木（ｎは２以上の整数）の間に架け渡され該外枠木から突き出した前記長脚ボルトの脚部が挿通される少なくとも２本の棒状のｎ段目外枠木と、このｎ段目外枠木或いは（ｎ−１）段目外枠木の内部に位置する前記長脚ボルトの先端部に螺着され外枠木同士を井桁状に固定するナットと、このナットの上方において前記長脚ボルトの脚部に着脱可能に螺着される吊金具と、からなることを特徴とする予め型組みされた木工沈床。
【請求項２】
前記ｎ段目外枠木或いは（ｎ−１）段目外枠木には上方に開口するナット配置穴が形成されており、前記木工沈床が型組みされた状態で、このナット配置穴内に前記長脚ボルトの脚部の先端が位置することを特徴とする請求項１に記載の予め型組みされた木工沈床。
【請求項３】
前記各外枠木は丸太を断面太鼓形にカットすることによって形成され、このカットによって切り離され弧と弦で囲まれた断面形状を有する断面弧状部は、前記押さえ木として使用されることを特徴とする請求項１に記載の予め型組みされた木工沈床。
【請求項４】
奇数段目の外枠木を、下段から上段にかけて次第に若しくは段階的に長く形成し、長い外枠木の一端を短い外枠木の一端よりも外方へ迫り出した状態に配置することを特徴とする請求項１に記載の予め型組みされた木工沈床。
【請求項５】
偶数段目の外枠木を、下段から上段にかけて次第に若しくは段階的に長く形成し、長い外枠木の一端を短い外枠木の一端よりも外方へ迫り出した状態に配置することを特徴とする請求項１に記載の予め型組みされた木工沈床。
【請求項６】
前記吊金具は、内面の一端から他端にかけて、前記長脚ボルトと螺合可能な雌螺子が形成された筒状部と、この筒状部の前記一端に設けられ該筒状部に回転力を付与可能な回転力付与部と、この回転力付与部に設けられ且つ吊上げ用フックに係止可能な係止部とからなり、この吊金具は、作業者等がハンマ等の打撃で前記回転力付与部に筒状部の周方向に沿った回転力を与えることにより、該筒状部を長脚ボルトの脚部に螺合及び螺脱可能とされていることを特徴とする請求項１に記載の木工沈床。
【請求項７】
請求項１記載の木工沈床の前記吊金具に吊ワイヤを係止するとともにこの吊ワイヤをクレーンで吊り、堰き止めされていない河川の河川床に前記木工沈床を設置し、その後、前記吊金具を取り外すことを特徴とする河川床の改修方法。
【請求項８】
請求項１記載の木工沈床の前記吊金具に吊ワイヤを係止するとともにこの吊ワイヤをクレーンで吊り、堰き止めされていない河川の河川床に前記木工沈床を設置し、この設置作業の際、前記Ｌ型アングル鋼材の下方に向いた前記一辺を前記河川床に差し込み、この設置作業の後、前記吊金具を取り外すことを特徴とする河川床の改修方法。
【発明の詳細な説明】
【０００１】
【発明の属する技術分野】
本発明は、予め型組みされた木工沈床及びこの木工沈床を用いる河川床の改修方法に関し、より詳しくは、設置の際に川の一部を堰き止める必要がなく、工期の大幅な短縮と、工費の大幅な削減を達成することができる予め型組みされた木工沈床及びこの木工沈床を用いる河川床の改修方法に関する。
【０００２】
【従来の技術】
木工沈床は、丸太状の棒材で組まれた箱の中に石を詰め込んだものである。これを川の護岸部に敷き詰めることによって川の植物や動物の棲家をつくり、堤防構築によって破壊された自然環境の修復を図ることができる。
従来は、木工沈床を設置するにあたり、川の一部を堰き止めて川の流れを迂回させ、水がなくなった川底で棒材を組んでその中に石を詰め込み、その後、川の流れを元の状態に戻すという工程を経ていた（現場組み立て方式）。
この現場組み立て方式の他に、あらかじめ工場で箱を完成若しくは半完成させた木工沈床を現場に持ち込む方式（プレキャスト方式）があった。このプレキャスト方式の木工沈床は、単に丸太状の棒材を組み合わせたものであり、特に補強対策を施したものではなかった。
【０００３】
【発明が解決しようとする課題】
しかしながら、上記した現場組み立て方式の木工沈床は、水を一時的になくした川底で組み上げる必要があった。プレキャスト方式の木工沈床は、補強対策を施したものではないため、安全性の点から、石を詰め込んだ状態では吊り上げることが難しく、結局、水を一時的になくした川底で石を詰め込む必要があった。従って、両者とも、川の流れを一旦堰き止める工程を経て設置する必要があり、このため工期が長くなり、工費が嵩んでしまうという問題があった。
また、両者とも吊金具を前記棒材に直接取り付けたものであったため、これらには、吊り下げ時に吊金具が棒材から外れてしまうのを防ぐための重量制限があった。従って、重量を抑えるために、底部を構成する木材格子の目を大きくせざるを得ず、この大きな目から石が抜け落ちてしまうという問題もあった。
本発明は、このような実情に鑑みてなされたもので、設置の際に川の一部を堰き止める必要がなく、工期の大幅な短縮と、工費の大幅な削減を達成することができる予め型組みされた木工沈床及びこの木工沈床を用いる河川床の改修方法の提供を目的とする。
【０００４】
【課題を解決するための手段】
請求項１記載の発明は、互いに平行に配置され一辺を下方に向けて配置される２本のＬ型アングル鋼材と、これらアングル鋼材の他辺に設けられ該アングル鋼材の両端部からそれぞれ脚部を上方に向けて立ち上げられる長脚ボルトと、これらアングル鋼材の相対向する端部の間にそれぞれ架け渡され該アングル鋼材の前記他辺上において前記長脚ボルトの脚部が挿通される少なくとも２本の棒状の１段目外枠木と、これら１段目外枠木の間において前記アングル鋼材の間に架け渡される複数本の棒状の敷成木と、これら敷成木を横断するように該敷成木の上に固定される複数本の押さえ木と、互いに平行に配置された前記１段目外枠木の間に架け渡され該外枠木から突き出した前記長脚ボルトの脚部が挿通される少なくとも２本の棒状の２段目外枠木と、・・・、互いに平行に配置された（ｎ−１）段目外枠木（ｎは２以上の整数）の間に架け渡され該外枠木から突き出した前記長脚ボルトの脚部が挿通される少なくとも２本の棒状のｎ段目外枠木と、このｎ段目外枠木或いは（ｎ−１）段目外枠木の内部に位置する前記長脚ボルトの先端部に螺着され外枠木同士を井桁状に固定するナットと、このナットの上方において前記長脚ボルトの脚部に着脱可能に螺着される吊金具と、からなることを特徴とする予め型組みされた木工沈床である。
【０００５】
請求項２に係る発明は、前記ｎ段目外枠木或いは（ｎ−１）段目外枠木には上方に開口するナット配置穴が形成されており、前記木工沈床が型組みされた状態で、このナット配置穴内に前記長脚ボルトの脚部の先端が位置することを特徴とする請求項１に記載の予め型組みされた木工沈床である。
【０００６】
請求項３に係る発明は、前記各外枠木は丸太を断面太鼓形にカットすることによって形成され、このカットによって切り離され弧と弦で囲まれた断面形状を有する断面弧状部は、前記押さえ木として使用されることを特徴とする請求項１に記載の予め型組みされた木工沈床である。
【０００７】
請求項４に係る発明は、奇数段目の外枠木を、下段から上段にかけて次第に若しくは段階的に長く形成し、長い外枠木の一端を短い外枠木の一端よりも外方へ迫り出した状態に配置することを特徴とする請求項１に記載の予め型組みされた木工沈床である。
【０００８】
請求項５に係る発明は、偶数段目の外枠木を、下段から上段にかけて次第に若しくは段階的に長く形成し、長い外枠木の一端を短い外枠木の一端よりも外方へ迫り出した状態に配置することを特徴とする請求項１に記載の予め型組みされた木工沈床である。
【０００９】
請求項６に係る発明は、前記吊金具は、内面の一端から他端にかけて、前記長脚ボルトと螺合可能な雌螺子が形成された筒状部と、この筒状部の前記一端に設けられ該筒状部に回転力を付与可能な回転力付与部と、この回転力付与部に設けられ且つ吊上げ用フックに係止可能な係止部とからなり、この吊金具は、作業者等がハンマ等の打撃で前記回転力付与部に筒状部の周方向に沿った回転力を与えることにより、該筒状部を長脚ボルトの脚部に螺合及び螺脱可能とされていることを特徴とする請求項１に記載の木工沈床である。
【００１０】
請求項７に係る発明は、請求項１記載の木工沈床の前記吊金具に吊ワイヤを係止するとともにこの吊ワイヤをクレーンで吊り、堰き止めされていない河川の河川床に前記木工沈床を設置し、その後、前記吊金具を取り外すことを特徴とする河川床の改修方法である。
【００１１】
請求項８に係る発明は、請求項１記載の木工沈床の前記吊金具に吊ワイヤを係止するとともにこの吊ワイヤをクレーンで吊り、堰き止めされていない河川の河川床に前記木工沈床を設置し、この設置作業の際、前記Ｌ型アングル鋼材の下方に向いた前記一辺を前記河川床に差し込み、この設置作業の後、前記吊金具を取り外すことを特徴とする河川床の改修方法である。
これらの発明を提供することにより、上記課題を悉く解決する。
【００１２】
【発明の実施の形態】
本発明の実施形態について、図面を参照しつつ説明する。
まず、本発明に係る予め型組みされた木工沈床について説明する。
図１乃至４は、本発明に係る木工沈床（１）の第１実施形態を示す図である。
本発明に係る木工沈床（１）は、Ｌ型アングル鋼材（２）と、長脚ボルト（３）と、棒状の１段目外枠木（４１）と、棒状の敷成木（５）と、押さえ木（６）と、棒状の２段目外枠木（４２）と、・・・、棒状の（ｎ−１）段目外枠木と、棒状のｎ段目外枠木（ｎは２以上の自然数）と、ナット（７）と、吊金具（８）（図５参照）と、からなる。
この予め型組みされた木工沈床（１）内には、砕石（図示せず）が詰め込まれる。
以下、これら構成要素について、詳説する。
【００１３】
Ｌ型アングル鋼材（２）は、互いに平行に配置され、一辺（１０）を下方に向けて配置されるものである。このＬ型アングル鋼材（２）は、通常、互いに平行に２本配置される。
このＬ型アングル鋼材（２）の材質は特に限定されるものではないが、砕石が詰め込まれた木工沈床（１）をクレーンで吊り上げた際に、木工沈床（１）自体を十分に支えることができる程度の強度が要求される。
【００１４】
長脚ボルト（３）は、これらアングル鋼材（２）の他辺（１１）に設けられ、該アングル鋼材（２）の両端部からそれぞれ脚部（１２）を上方に向けて立ち上げられるものである。
この長脚ボルト（３）の頭部は、アングル鋼材（２）の他辺（１１）に取り付けられる。脚部（１２）の長さは、１段目外枠木（４１）から最上段の外枠木（４Ｎ）すなわちｎ段目外枠木、或いはその一段下の外枠木までの高さの合計程度に設定され、好ましくは、その合計よりやや短く設定される。やや短く設定された場合、最上段の外枠木（４Ｎ）或いはその一段下の外枠木に形成したナット配置穴（１３）内に脚部（１２）の先端が位置する長さとされる。この場合、脚部（１２）の先端が最上段の外枠木（４Ｎ）或いはその一段下の外枠木から突出しないので、見栄えが良くなって自然の景観に馴染むとともに、作業員の怪我等の危険性が低下する。
【００１５】
棒状の１段目外枠木（４１）は、互いに平行に配置された前記アングル鋼材（２），（２）の相対向する端部の間にそれぞれ架け渡され、該アングル鋼材（２），（２）の前記他辺（１１）上において長脚ボルト（３）の脚部（１２）が挿通されるものである。
１段目外枠木（４１）の両端部には、該外枠木（４１）をその径方向に貫通するボルト挿通孔（図示せず）が形成される。長脚ボルト（３）の脚部（１２）は、このボルト挿通孔に挿通される。
【００１６】
１段目外枠木（４１）は、棒状であれば特にその具体的形状は限定されないが、丸太状であることが好ましく、この場合、樹皮を剥いでいてもよいし、剥いでいなくてもよい。その断面形状も特に限定されるものではなく、断面円形であってもよいが、図５に例示される如く、丸太を断面太鼓形にカットした形状とされることが好ましく、このカットによって切り離され弧と弦で囲まれた断面形状を有する２本の断面弧状部は、それぞれ押さえ木（６）として使用されることが好ましい。
【００１７】
１段目外枠木（４１）は、断面太鼓形にカットされたものの場合、側部に、互いに反対側に位置する２つの平坦面を有する。１段目外枠木（４１）は、これら平坦面の一方が上向き、他方が下向きとなるように配置される。
前記断面弧状部を押さえ木（６）として使用すれば、丸太を無駄なく使用することができる。
【００１８】
敷成木（５）は、互いに平行に配置された１段目外枠木（４１），（４１）の間において、アングル鋼材（２），（２）の間に架け渡される棒状の部材である。
敷成木（５）は、棒状であれば特にその具体的形状は限定されないが、丸太状であることが好ましく、この場合、樹皮を剥いでいてもよいし、剥いでいなくてもよい。また、敷成木（５）は、軸長方向に同一太さを有するものであってもよいが、図３に例示する如く、一端から他端にかけて次第に太くなるテーパ形状を有するものであってもよい。
その断面形状も特に限定されるものではなく、断面円形であってもよいが、図１に示される如く、丸太を断面太鼓形にカットした形状とされることが好ましく、このカットによって切り離され弧と弦で囲まれた断面形状を有する２本の断面弧状部は、押さえ木（６）として使用されることが好ましい。
【００１９】
押さえ木（６）は、互いに略平行に配置された複数本の前記敷成木（５）を横断するように該敷成木（５）の上に固定されるものである。押さえ木（６）は、複数本の敷成木（５）を相互に拘束するためのものである。その固定手段は特に限定されるものではないが、例えば、釘打ち、ワイヤ巻き付けにより敷成木（５）上に固定することができる。
押さえ木（６）の本数は特に限定されないが、通常は複数本とされ、これらは互いに平行に配置される。
押さえ木（６）には、前述の如く、丸太を断面太鼓形にカットしたときに切り離される、弧と弦で囲まれた断面形状の断面弧状部を使用することが好ましい。
【００２０】
２段目外枠木（４２）は、互いに平行に配置された１段目外枠木（４１），（４１）の間に架け渡され、該外枠木（４１），（４１）から突き出した長脚ボルト（３）の脚部（１２）が挿通される棒状の部材である。この２段目外枠木（４２）は、前記した１段目外枠木（４１）と同様の構造とすることができる。２段目外枠木（４２）は、１段目外枠木（４１）の上に組み付けられ、２段目外枠木（４２）と１段目外枠木（４１）によって井桁が構成される。
【００２１】
ｎ段目外枠木は、（ｎ−１）段目外枠木（ｎは２以上の整数）同士の間、より詳しくは、（ｎ−１）段目外枠木の相対向する部分（端部若しくは中途部）の間に架け渡され、該外枠木から突き出した長脚ボルト（３）の脚部（１２）が挿通される棒状の部材である。このｎ段目外枠木は、１段目外枠木（４１）と同様の構造とすることができる。ｎ段目外枠木は、（ｎ−１）段目外枠木の上に組み付けられ、１段目外枠木（４１）、２段目外枠木（４２）、・・・、及びｎ段目外枠木によって井桁が構築される。
ｎ＝２とした場合は３段目以上が存在せず、２段井桁が構築される。
【００２２】
尚、各段の外枠木はそれぞれ、互いに平行な少なくとも２本あればよく、３本以上であってもよい。図１１乃至１４に示す例では、４段目外枠木が３本とされ、その内２本が後述の傾斜部側に配置され、残りの１本が後述の垂直部側に位置している。傾斜部側の２本は、その一段下の外枠木と別々の長脚ボルト（３），（３）によって個別に連結されている。また、その別々の長脚ボルト（３），（３）によって、傾斜部側の２本は、その一段上の外枠木とも個別に連結されている。
【００２３】
ナット（７）は、ｎ段目外枠木（４Ｎ）或いは（ｎ−１）段目外枠木の内部に位置する長脚ボルト（３）の先端部に螺着され、外枠木同士を井桁状に固定するものである。ｎ段目外枠木（４Ｎ）或いは（ｎ−１）段目外枠木の両端部には上方に開口するナット配置穴（１３）が形成されている。木工沈床（１）が型組みされた状態で、図５に示される如く、このナット配置穴（１３）内に長脚ボルト（３）の脚部（１２）の先端が位置し、このナット配置穴（１３）内で脚部（１２）の先端から若干下がった位置にナット（７）が螺着される。
ナット配置穴（１３）内に長脚ボルト（３）の脚部（１２）の先端が位置するように、長脚ボルト（３）の長さを設定し、このナット配置穴（１３）内でナット（７）を螺着すれば、見栄えが良くなって自然の景観に馴染むとともに、突き出たボルト脚部で作業員が怪我をすることがない。
【００２４】
吊金具（８）は、木工沈床（１）を吊り上げるためのものであり、ナット（７）の上方において長脚ボルト（３）の脚部（１２）に着脱可能に螺着されるものである。この吊金具（８）は、例えば、ナット（７）の上面に密着するように長脚ボルト（３）の脚部（１２）に螺着することができる。
【００２５】
吊金具（８）の構造は特に限定されるものではないが、図６に示される例では、内面の一端から他端にかけて、長脚ボルト（３）と螺合可能な雌螺子が形成された筒状部（１７）と、この筒状部（１７）の前記一端に設けられ該筒状部（１７）に回転力を付与可能な回転力付与部（１９）と、この回転力付与部（１９）に設けられ且つ吊上げ用フック（１５）に係止可能な係止部（２０）とからなる。
回転力付与部（１９）及び係止部（２０）の形態は特に限定されるものではないが、例えば、以下の形態を採ることができる。
図６に示す例では、回転力付与部（１９）は、筒状部（１７）の径方向に沿って互いに逆向きに延出した延出部（２２），（２２）を有している。吊金具（８）は、作業者等がハンマ等の打撃でこの延出部（２２）に筒状部（１７）の周方向に沿った回転力を与えることにより、該筒状部（１７）を長脚ボルト（３）の脚部（１２）に螺合及び螺脱可能とされている。
延出部（２２）を筒状部（１７）の周に沿った接線方向にハンマ等で叩けば、延出部（２２），（２２）が筒状部（１７）周りに回転し始め、延出部（２２），（２２）の慣性によって、螺合或いは螺脱が完了するまで回転を続ける。
【００２６】
図６に示す例では、回転力付与部（１９）はプレート状とされ、筒状部（１７）の一端部に螺着されるボルト（１８）の頭部と筒状部（１７）の一端との間に挟持されている。また、係止部（２０）はＵ字形部材から形成されており、このＵ字の部分に、ワイヤ（２１）先端に設けた吊上げ用フック（１５）が係止される。このワイヤ（２１）は、クレーンに吊り下げられる。
尚、筒状部（１７）の一端に円環等のリング状部（図示せず）を設け、このリング状部を回転力付与部（１９）及び係止部（２０）としてもよい。
【００２７】
尚、本発明においては、川底の傾斜が様々に変化する場合を考慮して、図７乃至１０（第２実施形態）、或いは、図１１乃至１４（第３実施形態）に例示する如く構成することもできる。
これらの図に示す例では、奇数段目の外枠木を、下段から上段にかけて次第に若しくは段階的に長く形成し、長い外枠木の一端を短い外枠木の一端よりも外方へ迫り出した状態に配置している。
尚、図示はしないが、偶数段目の外枠木を、下段から上段にかけて次第に若しくは段階的に長く形成し、長い外枠木の一端を短い外枠木の一端よりも外方へ迫り出した状態に配置することもできる。
【００２８】
奇数段目の外枠木を下段から上段にかけて次第に若しくは段階的に長く形成した場合、奇数段目の外枠木の他端は、２本のアングル鋼材（２）を含む平面に対し直角をなす方向に延びる平面上に略位置するように配置される（垂直部）。
一方、上下方向に隣り合い且つ長さの相違する外枠木において、その前記一端同士を結ぶ直線は、２本のアングル鋼材（２）を含む平面に対し傾斜する（以下、この傾斜直線を含む部分を傾斜部と称する）。これにより、その傾斜部を隣の木工沈床（１）に突き合わせると、図１５（ｂ）に例示するような傾斜の変化する川底にも対応することができる。
図示はしないが、偶数段目の外枠木を下段から上段にかけて次第に若しくは段階的に長く形成した場合には、偶数段目の外枠木の他端は、２本のアングル鋼材を含む平面に対し直角をなす方向に延びる平面上に略位置するように配置される（垂直部）。
一方、上下方向に隣り合い且つ長さの相違する外枠木において、その前記一端同士を結ぶ直線は、２本のアングル鋼材を含む平面に対し傾斜する（以下、この傾斜直線を含む部分を傾斜部と称する）。
奇数段目の長さを変えるか、或いは、偶数段目の長さを変えるかの選択は、外枠木の積層段数に応じてなされる。外枠木の積層段数は、詰め込まれる砕石の高さに応じて設定される。
【００２９】
尚、第２実施形態及び第３実施形態では、傾斜部側において、Ｌ型アングル鋼材（２）から立ち上がる傾斜部側の長脚ボルト（３）は、最上段より一段下の外枠木すなわち（ｎ−１）段目外枠木にまでしか達していない。最上段の外枠木すなわちｎ段目外枠木（４Ｎ）とその一段下の外枠木は、これら外枠木のみを連結する別の長脚ボルト（３）によって連結されている。
【００３０】
尚、傾斜部側において、最上段の外枠木（４Ｎ）にはナット配置穴（１３）が設けられており、このナット配置穴（１３）内に前記した別の長脚ボルト（３）の脚部先端が位置し、このナット配置穴（１３）内で脚部（１２）にナットが螺着されている。傾斜部側において、最上段より一段下の外枠木の中途部にもナット配置穴（１３）が形成されており、このナット配置穴（１３）内に、Ｌ型アングル鋼材（２）から立ち上がる傾斜部側の長脚ボルト（３）の脚部の先端が位置している。このナット配置穴（１３）内でも脚部（１２）にナットが螺着されている。
【００３１】
傾斜部とは反対側に位置する垂直部においては、その最上段の外枠木（４Ｎ）にナット配置穴（１３）が設けられており、このナット配置穴（１３）内にＬ型アングル鋼材（２）から立ち上がる長脚ボルト（３）の脚部先端が位置し、このナット配置穴（１３）内で脚部（１２）にナットが螺着されている。
傾斜部側、垂直部側のいずれのナット配置穴（１３）においても、ナットの上方において長脚ボルト（３）に吊金具（８）を螺着可能である。
【００３２】
次に、この木工沈床（１）を用いた河川床の改修方法について説明する。
予め、工場等にて木工沈床（１）を型組みしておき（ステップ１）、工場或いは施工現場付近等においてこの木工沈床（１）の中に砕石を詰め込む（ステップ２）。この際、必要に応じて、木工沈床（１）の内側側部に砕石落下防止板（図示せず）を立込み、側部からの砕石落下をより確実に防止してもよい。
【００３３】
吊金具（８）に吊ワイヤ先端に設けたフック（１５）を係止するとともにこの吊ワイヤをクレーンで吊り上げる（ステップ３）。各段の外枠木は、長脚ボルト（３）によって連結され、底部にはＬ型アングル鋼材（２）が設けられているので、木工沈床（１）の強度は非常に高くなっている。また、この長脚ボルト（３）に直接、吊金具（８）が取り付けられている。従って、敷成木（５）をその相互の間隔を詰めて多数配置し、更に、砕石を詰め込んだ状態でも、この木工沈床（１）を強度的に安全に吊り上げることができる。また、敷成木（５）をその相互の間隔を詰めて多数配置できるので、敷成木（５）同士の隙間から砕石が抜け落ちることが殆どない。
【００３４】
堰き止めされていない河川の河川床に、クレーン操作によって木工沈床（１）を川底の所望の位置に設置する（ステップ４）。このとき、Ｌ型アングル鋼材（２）の下方に向いた一辺（１０）を河川床に差し込む。この一辺（１０）を川底の地中に差し込むことにより、１段目外枠木（４１）と敷成木（５）が川底に着底するので、木工沈床（１）内の砕石が下方へ抜け出てしまうことがない。
【００３５】
木工沈床（１）を設置したら、フック（１５）を吊金具（８）から外し（ステップ５）、その後、吊金具（８）を長脚ボルト（３）の脚部（１２）から取り外す（ステップ６）。吊金具（８）を取り外す際には、該吊金具（８）を螺着のときとは反対の向きに回転させ、螺着を解除すればよい。吊金具（８）は、作業者がハンマ等の打撃でその延出部（２２）に筒状部（１７）の周方向に沿った回転力を与えることにより、該筒状部（１７）を長脚ボルト（３）の脚部（１２）に容易に螺合し、また、このボルト（３）から容易に螺脱することができる。
【００３６】
本発明に係る予め型組みされた木工沈床及びこの木工沈床を用いる河川床の改修方法によれば、砕石を詰め込んだ状態の木工沈床（１）を安全にクレーンで吊り上げることができるので、川の一部を堰き止めることなく、砕石入り木工沈床を川底に設置することができ、工期の大幅な短縮と、工費の大幅な削減を達成することができる。また、この木工沈床は、施工完了時において金属部材が露出しないので、見栄えがよく、自然の風合いに馴染む。
【００３７】
【発明の効果】
本発明に係る予め型組みされた木工沈床及びこの木工沈床を用いる河川床の改修方法によれば、砕石を詰め込んだ状態の木工沈床を安全にクレーンで吊り上げることができるので、川の一部を堰き止めることなく、砕石入り木工沈床を川底に設置することができ、工期の大幅な短縮と、工費の大幅な削減を達成することができる。また、この木工沈床は、施工完了時において金属部材が露出しないので、見栄えがよく、自然の風合いに馴染む。
【図面の簡単な説明】
【図１】本発明に係る木工沈床の第１実施形態を示す斜め上方斜視図である。
【図２】本発明に係る木工沈床の第１実施形態を示す斜め下方斜視図である。
【図３】本発明に係る木工沈床の第１実施形態を示す平面図である。
【図４】本発明に係る木工沈床の第１実施形態を示す側面図である。
【図５】本発明に係る木工沈床を川底に設置した状態を示す一部側面図である。
【図６】本発明における吊金具を示す図であり、（ａ）はその斜視図、（ｂ）はその部分断面側面図である。
【図７】本発明に係る木工沈床の第２実施形態を示す斜め上方斜視図である。
【図８】本発明に係る木工沈床の第２実施形態を示す斜め下方斜視図である。
【図９】本発明に係る木工沈床の第２実施形態を示す平面図である。
【図１０】本発明に係る木工沈床の第２実施形態を示す側面図である。
【図１１】本発明に係る木工沈床の第３実施形態を示す斜め上方斜視図である。
【図１２】本発明に係る木工沈床の第３実施形態を示す斜め下方斜視図である。
【図１３】本発明に係る木工沈床の第３実施形態を示す平面図である。
【図１４】本発明に係る木工沈床の第３実施形態を示す側面図である。
【図１５】本発明に係る木工沈床の連続配置状態を示す模式的側面図であり、（ａ）は川底が平坦な場合を示す図、（ｂ）は川底の傾斜度が途中で変化している場合を示す図である。
【符号の説明】
１・・・・・木工沈床
２・・・・・Ｌ型アングル鋼材
３・・・・・長脚ボルト
４１・・・・１段目外枠木
４２・・・・２段目外枠木
４Ｎ・・・・最上段の外枠木（ｎ段目外枠木）
５・・・・・敷成木
６・・・・・押さえ木
７・・・・・ナット
８・・・・・吊金具
９・・・・・砕石
１２・・・・脚部
１３・・・・ナット配置穴
【図１】
2004060185.tif 000003
【図２】
2004060185.tif 000004
【図３】
2004060185.tif 000005
【図４】
2004060185.tif 000006
【図５】
2004060185.tif 000007
【図６】
2004060185.tif 000008
【図７】
2004060185.tif 000009
【図８】
2004060185.tif 000010
【図９】
2004060185.tif 000011
【図１０】
2004060185.tif 000012
【図１１】
2004060185.tif 000013
【図１２】
2004060185.tif 000014
【図１３】
2004060185.tif 000015
【図１４】
2004060185.tif 000016
【図１５】
2004060185.tif 000017